(57)【要約】【課題】  ディスプレイ装置のスペースを有効活用してカードスロットを配置し、カードスロットに防塵が侵入するのを防ぎ、かつスムーズな開閉動作と強度を確保した扉構造を提供することを目的とする。【解決手段】ディスプレイ本体のバックカバー２３は前面部から背面部にかけて曲面（傾斜部）を有する外周形状を成し、この曲面部に内側方向に向かってカバーピース５と支持板６とで階段状の収納部２６を形成し、この収納部内のカードピースにカードスロット５１，５２を設けている。扉４は屈曲したアーム４２の先端に回動支点４３を有し、この回動支点４３をバックカバー内の支持板６に設けた軸６３に回転自在に固定し、扉本体４１を回転可能にしている。【選択図】  図２
2006093596.tif 000002
【特許請求の範囲】
【請求項１】
前面部から背面部にかけて傾斜した外周形状を有する筐体と、
前記筐体の傾斜部に形成した矩形状の開口部と、
前記開口部から筐体内側方向に向かって、第１の部材と第２の部材とをほぼ直交配置して階段状に形成した収納部と、
前記収納部を覆う形状の扉本体と、前記開口部近傍の筐体内に回動支点を有し前記回動支点と扉本体とを連結するように形成された屈曲形状のアームとを備え、前記回動支点を中心に前記収納部に対して開閉自在に配置した扉とを具備したことを特徴とする扉構造。
【請求項２】
前記第１の部材はカードスロットを設けたカードピースであり、
前記第２の部材は、前記カードピースと直交する本体部とこの本体部から前記扉の回動支点の方向に延びた取付板を有し、この取付板に前記回動支点を回転自在に取付けるための軸を設けた支持板で成ることを特徴とする請求項１記載の扉構造。
【請求項３】
前記支持板の本体部に扉ロック機構を設けたことを特徴とする請求項２記載の扉構造。
【請求項４】
前面部にフラットパネル型のディスプレイを有し、前記前面部から背面部にかけて傾斜した側面を有するディスプレイ筐体と、
前記ディスプレイ筐体の傾斜部に形成した矩形状の開口部と、
前記開口部から筐体内側方向に向かって、カードピースと支持板とをほぼ直交配置して階段状に形成し、前記カードピースにカードスロットを形成した収納部と、
前記収納部を覆う形状の扉本体と、前記開口部近傍のディスプレイ筐体内に回動支点を有し前記回動支点と扉本体とを連結するように形成された屈曲形状のアームとを備え、前記回動支点を中心に前記収納部に対して開閉自在に配置した扉と、を具備したことを特徴とするディスプレイ装置。
【請求項５】
前記カードピースは前記フラットパネル型ディスプレイの面とほぼ直交するように配置し、前記支持板は前記フラットパネル型ディスプレイの面とほぼ平行になるようにカードピースに対して直交配置したことを特徴とする請求項４記載のディスプレイ装置。
【請求項６】
前記カードピース、前記支持板、及び前記扉はそれぞれ別ピースで構成され、前記カードピースと前記支持板は、前記開口部近傍の前記ディスプレイ筐体内の固定片に固定され、
前記支持板は、前記カードピースと直交する本体部とこの本体部から前記扉の回動支点の方向に延びた取付板を有し、この取付板に前記扉の回動支点を回転自在に取付けたことを特徴とする請求項４記載のディスプレイ装置。
【発明の詳細な説明】
【技術分野】
【０００１】
本発明は、カードスロットを有するディスプレイ装置に係り、特にカードスロット部を覆う扉構造を改良した液晶ディスプレイやプラズマディスプレイ等のフラットパネル型のディスプレイ装置に関する。
【背景技術】
【０００２】
従来、画像表示のために各種ディスプレイ装置が用いられているが、最近では薄型で比較的大画面のディスプレイ装置として、例えば液晶ディスプレイやプラズマディスプレイ等によるフラットパネル型のディスプレイ装置が普及している。
【０００３】
このようなディスプレイ装置は、薄型であることから壁掛けタイプや、ディスプレイ本体をスタンド上に支持するタイプが一般的である。また、最近ではメモリカードに記録された画像データや音声データを再生することができるようにしたディスプレイ装置も普及している。上記メモリカードは、ディスプレイ本体に設けたカードスロットに挿入することでメモリカードに記録された画像情報等が読み出され、ディスプレイ上に画像を表示可能にしている。また、複数のカードスロットを備え、種類の異なる複数のメモリカードを挿入可能にしたディスプレイ装置もある。
【０００４】
ところで、ディスプレイが液晶ディスプレイやプラズマディスプレイ等のフラットパネル型の場合、その奥行き寸法が狭くなるため、カードスロットの配置を決める際に自由度が少ないという問題点がある。即ち、陰極線管タイプのディスプレイを有する機器では、奥行き寸法を比較的大きくとれるため、カードスロットはディスプレイ装置の前面等に容易に設けることができる。しかしながら、奥行きが短くなるに従ってカードスロットの配置に苦心しており、またカードスロットの数が増加すると、より一層カードスロットの配置に制限を受けることになる。
【０００５】
特許文献１には、奥行きの薄い映像表示装置において、複数のカードスロットを並べて配置した例が記載されている。この特許文献１の場合、表示装置の前面上部に複数のカードスロットを横方向に並べて配置し、表示装置の前面側からカードをそれぞれ横向きに挿入する例が記載されている。しかしながら、この例では表示装置の奥行き寸法がさらに狭くなった場合には、カードスロットを設けることが困難になる。
【０００６】
そのため、特許文献１には、表示装置の側面に複数のカードスロットを縦列配置し、表示装置の側面側からカードをそれぞれ縦向きに挿入する例や、表示装置の側面に複数のカードスロットを上下に多段的に並べて配置し、表示装置の側面側からカードをそれぞれ横向きに挿入可能にした例も記載されている。
【０００７】
一方、カードスロット部には埃などの異物が侵入しやすいため、一般的にはカードスロット部を扉によって覆うようにしている。しかしながら、扉の回転構造のクリアランスを確保するため、扉とキャビネット本体との間に隙間が生じてしまい、塵埃が侵入しやすいという課題があり、さらに扉がキャビネット本体から外れやすく構造的強度も低いという欠点があった。
【特許文献１】特開平１１−２２０６７９号公報（第５頁、図５，６，７）
【発明の開示】
【発明が解決しようとする課題】
【０００８】
上記したようなディスプレイ装置では、装置が薄型になるほどカードスロットを設置する上で、設計上困難な点が多くなり、さらにカードスロット部に埃などの異物が侵入するのを防ぐため、カードスロット部を扉によって覆っても隙間を介して塵埃が侵入しやすいという課題があった。
【０００９】
本発明は上記した点に鑑み、ディスプレイ装置のスペースを有効活用してカードスロットを配置し、カードの挿入や取出しの操作がし易く、かつカードスロット部を覆う扉構造に工夫を施して塵埃の侵入を低減したディスプレイ装置を提供することを目的とする。
【課題を解決するための手段】
【００１０】
本発明はこのような問題点を解決するためになされた扉構造であって、前面部から背面部にかけて傾斜した外周形状を有する筐体と；前記筐体の傾斜部に形成した矩形状の開口部と；前記開口部から筐体内側方向に向かって、第１の部材と第２の部材とをほぼ直交配置して階段状に形成した収納部と；前記収納部を覆う形状の扉本体と、前記開口部近傍の筐体内に回動支点を有し前記回動支点と扉本体とを連結するように形成された屈曲形状のアームとを備え、前記回動支点を中心に前記収納部に対して開閉自在に配置した扉とを具備したことを特徴とする。
【００１１】
また本発明のディスプレイ装置は、前面部にフラットパネル型のディスプレイを有し、前記前面部から背面部にかけて傾斜した側面を有するディスプレイ筐体と；前記ディスプレイ筐体の傾斜部に形成した矩形状の開口部と；前記開口部から筐体内側方向に向かって、カードピースと支持板とをほぼ直交配置して階段状に形成し、前記カードピースにカードスロットを形成した収納部と；前記収納部を覆う形状の扉本体と、前記開口部近傍のディスプレイ筐体内に回動支点を有し前記回動支点と扉本体とを連結するように形成された屈曲形状のアームとを備え、前記回動支点を中心に前記収納部に対して開閉自在に配置した扉と；を具備したことを特徴とする。
【発明の効果】
【００１２】
本発明の扉構造及びディスプレイ装置によれば、カードスロットをディスプレイ本体の側面に形成した階段状の収納部に配置することができ、ディスプレイ装置が薄型になってもカードスロットの配置スペースを確保することができる。又、カードスロットを覆う扉構造についても回転クリアランスを小さくでき、塵埃の侵入を低減でき、構造的に十分な強度を確保することができる。
【発明を実施するための最良の形態】
【００１３】
以下、図面を参照しながら本発明のカードスロット構造及びディスプレイ装置について詳細に説明する。
【実施例１】
【００１４】
図１は本発明のディスプレイ装置を背面から見た場合の斜視図、図２は本発明のディスプレイ装置のカードスロット部分及び扉部分を背面横方向から見た場合の斜視図、図３は本発明のディスプレイ装置に使用する扉構造を示す分解斜視図、図４は本発明の扉構造の回転動作を示す平面図、図５は扉構造の回転動作をより分かりやすく説明した動作図である。
【００１５】
まず、図１を参照して本発明のディスプレイ装置の概略的な構成について説明する。図１において、ディスプレイ装置１は、ディスプレイ本体２と、このディスプレイ本体２を支えるスタンド３から構成されている。ディスプレイ本体２は例えば液晶ディスプレイやプラズマディスプレイ等からなる薄型のフラットパネル２１を前面に備え、その表示パネルを収容した筐体を有している。尚、筐体は前面枠２２とバックカバー２３とを組み合わせて成り、バックカバー２３は、図１で示すように、側面部から背面部にかけて円弧状に傾斜した曲面２４を有する外周形状となっている。
【００１６】
そして、この曲面２４には、扉４が開閉可能に設けられ、この扉４の中にカードスロット（後述）を取付けている。この扉内の構成は、図２に示すようになっている。図２は、図１の一点鎖線Ｘで示す部分を背面から見た図である。
【００１７】
すなわち、バックカバー２３の側面部には、曲面２４の一部を長方形状に切取って形成した開口部２５を有し、その開口部２５にカードピース５と、このカードピース５と直交して配置した支持板６を収納し、これらカードピース５と支持板６をバックカバー２３の内面に形成した固定片（図示せず）に固定している。
【００１８】
前記支持板６は、フラットパネル２１のパネル面と並行に設けられ、カードピース５は、この支持板６の奥部に直交して設けられ、これら支持板６とカードピース５は、曲面２４（側面の傾斜部）に対して奥行きのある収納部２６（図５参照）を形成している。
【００１９】
又、カードピース５には、複数（図の例では２個）のカードスロット５１，５２が形成され、このスロット５１，５２にカード７を挿入できるようにしている。尚、図ではスロット５１にカード７を挿入可能な例を示しているが、スロット５２にも別のカードを挿入可能である。つまり、カードはデスプレイ本体２の側面から挿入できるようにしている。
【００２０】
一方、扉４は収納部２６を覆うように開閉可能に取付けられ、曲面２４と同様の曲率で湾曲した矩形状の扉本体４１と、この扉本体４１の長手方向の両端部に形成したアーム４２とから成っている。前記アーム４２は、前記カードピース５の方向に延び、途中で屈曲した形状を有し、その先端に回動支点４３を有し、この回動支点４３をカードピース５よりもやや奥側のバックカバー２３内面に取付ている。したがって、アーム４２は、回動支点４３を中心に矢印ａ方向に開閉可能である。
【００２１】
かくして、収納部２６は、図２で示すように、バックカバー２３の背面から前面に向かって階段状を成し、前記カードピース５のスロット５１，５２は奥方向に配置され、扉４を開くことによってカード７を挿入でき、カード挿入後や、カードの非挿入時には扉４を閉じるようにしている。尚、扉４にはロック機構（後述）が設けられているが、図２では便宜状、図示を省略している。
【００２２】
図３は、扉４、カードピース５、支持板６を分解して示すもので、矢印ｂがディスプレイ本体２の上側方向を示している。図３において、扉４は本体４１とアーム４２から成り、アーム４２は端部がほぼ直角に屈曲しており、先端部に円筒部４３を有し、この円筒部４３は前述した回動支点となる。
【００２３】
カードピース５は、スロット５１，５２を形成しているが、両端部には切欠５３を有するとともに、先端部にネジ穴５４を有し、このネジ穴にネジを通してバックカバー２３内面に形成した固定片（図示せず）に固定するようにしている。
【００２４】
又、支持板６は、本体部６１と、その両端部に直交して形成した取付板６２を有し、両取付板６２の先端に互いに向合う方向に軸６３を設けている。さらに取付板６２の外側にはネジ取付部６５が形成され、このネジ取付部６５をネジによってバックカバー２３内面に形成した固定片（図示せず）に固定するようにしている。また、前記軸６３は扉４の円筒部４３内に嵌合され、この軸４３を中心にして扉４は回転できるようになっている。尚、扉４のアーム４２は、カードピース５の切欠５３と支持板６の取付板６２との間を通って回動する。
【００２５】
さらに、支持板６の本体部６１中心部にはロック機構６４が設けられており、扉４の内面には、このロック機構６４に挿入される突起４４が設けられている。ロック機構６４は例えばプッシュ・プッシュ式のものであり、扉４を閉じるように押すことで突起６４がロック機構６４にロックされ、再度押すことによりロックが解除され扉４を開けることができる。尚、支持板６の斜線を付した部分は、扉４で覆われる部分を概略的に示している。
【００２６】
図４は、扉４、カードピース５、支持板６をバックカバー２３内に組立てた状態を示すもので、図２の矢印ｃ側から見た平面図である。図４おいては、扉４を開いた状態と閉じた状態を示しており、カードピース５は、説明を分かりやすくするめに離して示しているが、組立て時は矢印ｄ方向に一点鎖線で示す位置に取付けられる。尚、一点鎖線ｅ，ｆはカードピース５及び支持板６をバックカバー２３内の固定片（図示せず）に取付ける際のネジの挿入方向を概略的に示している。図４から分かるように、扉４は、円筒部４３がカードピース５よりも内側のバックカバー２３に近い位置にあり、軸６３を中心に扉本体４１は回転する。
【００２７】
図５は、扉４の回転状態をより分かりやすく説明したもので、図５（ａ）は閉じた状態を示し、図５（ｂ）は開いた状態を示している。扉４は（ｂ）のように、一点鎖線が閉じた位置を示し、二転鎖線が最大に開いた状態を示しており、扉本体４１は一端が矢印ａ１のように短い回転距離を有し、他端が矢印ａ２のように長い回転距離を有して回転する。このように回転するのは、アーム４２の形状がが直線的ではなく、途中で直角に屈曲しているためであり、スムーズな回転をさせることができる。
【００２８】
又、回動支点（円筒）４３がバックカバー２３の内側にあり、扉４のアーム４２は十分に強度を持たせることができ、かつ回動支点（円筒）４３は支持板６の軸６３としっかり嵌合するため、外れにくく、製品肉厚の確保が可能となり、強度も強く成形できる。さらに、扉４の回転構造のクリアランスを小さくすることができ、扉４を閉じたときのバックカバーとの隙間を小さくすることができる。
【００２９】
尚、カードスロット５１，５２に挿入されるカードとしては、例えばメモリカードがあり、ＳＤカード（登録商標）やデジタルカメラ等の画像情報記憶媒体に用いられるスマートメディア（登録商標）の他、半導体メモリカード等がある。
【００３０】
本発明の実施例によれば、スロット５１，５２は、バックカバー２３の側面に形成した階段状の収納部２６に設けられており、かつカードスロット５１，５２がフラットパネル２１の面と平行に形成されているため、ディスプレイ装置１が薄型になってもカードスロット５１，５２を設けるスペースを確保することができる。即ち、ディスプレイ装置１のデザイン形状（円弧状の曲面２４）に合わせて、スペースを無駄なく利用したカードスロット構造と言える。
【００３１】
このように本発明によれば、薄形ディスプレイ装置に適用して有効なカードスロット用の扉構造を提供することができ、塵埃の侵入を低減し、かつ十分な強度を確保することができる。
【図面の簡単な説明】
【００３２】
【図１】本発明に係るディスプレイ装置の一実施形態を背面から見た斜視図。
【図２】本発明のディスプレイ装置に使用する扉構造をを拡大して示す斜視図。
【図３】本発明の扉構造を分解して示す斜視図。
【図４】本発明の扉構造を組立てた状態をを拡大して示す平面図。
【図５】本発明の扉構造の開閉動作を説明するための図。
【符号の説明】
【００３３】
１    ディスプレイ装置
２    ディスプレイ本体
３    スタンド
４    扉
５    カードピース
６    支持板
７    カード
２１  表示パネル
２２  前面枠
２３  バックカバー
２４  曲面（傾斜部）
２５  開口部
２６  収納部
４１  扉本体
４２  アーム
４３  回動支点（円筒）
５１，５２  カードスロット
５３  切欠
６１  支持板本体
６２  取付板
６３  軸
６４  ロック機構
【図１】
2006093596.tif 000003
【図２】
2006093596.tif 000004
【図３】
2006093596.tif 000005
【図４】
2006093596.tif 000006
【図５】
2006093596.tif 000007